(57)【要約】【課題】簡単な構造で、操作も単純で、簡便かつ確実に穴を掘ることができる穴掘り具を提供する。【解決手段】柄の先端に接続されて下方の土中に向けて打ち込まれる掘削部本体を含む穴掘り具であり、掘削部本体１４は、中空囲み形状の一体枠２４と、該一体枠２４から一方側となる同一方向にそれぞれ相互に間隙を形成した状態で伸長する複数の刃部２６と、を有し、刃部２６間の間隙２８は、それらの伸長端側を開口３２させて一体枠２４と刃部２６との接続部分３５付近まで連続して形成されており、さらに、複数の刃部２６は、打ち込み時に土を保持させる中央部３０を取り囲むように配置されていることを特徴とする穴掘り具１０から構成される。【選択図】図１
0003120801.tif 000002
【実用新案登録請求の範囲】
【請求項１】
柄の先端に接続されて下方の土中に向けて打ち込まれる掘削部本体を含む穴掘り具であり、
掘削部本体は、中空囲み形状の一体枠と、
該一体枠から一方側となる同一方向にそれぞれ相互に間隙を形成した状態で伸長する複数の刃部と、を有し、
刃部間の間隙は、それらの伸長端側を開口させて一体枠と刃部との接続部分付近まで連続して形成されており、
さらに、複数の刃部は、打ち込み時に土を保持させる中央部を取り囲むように配置されていることを特徴とする穴掘り具。
【請求項２】
刃部は、板状部材からなり、一体枠と刃部との接続部分と伸長端との中間部分にそれらになめらかに接続する広幅部を有することを特徴とする請求項１記載の穴掘り具。
【請求項３】
刃部であって、該刃部の中央部側を向く面が全体として略円形となるように一体枠に対して連結されていることを特徴とする請求項１又は２記載の穴掘り具。
【請求項４】
刃部の伸長端側の内壁面には、刃部の内側から外側に向けて斜めに切り落とすようにして刃部の先端を先鋭化させたテーパ面が形成されたことを特徴とする請求項１ないし３のいずれかに記載の穴掘り具。
【請求項５】
刃部の伸長側は、その幅を先端側に向けて狭くするようにテーパ形状を呈していることを特徴とする請求項１ないし４のいずれかに記載の穴掘り具。
【請求項６】
刃部と一体枠とは、中空円筒部材を加工して一体的に形成されたことを特徴とする請求項１ないし５のいずれかに記載の穴掘り具。
【考案の詳細な説明】
【技術分野】
【０００１】
本考案は、例えば、山芋堀や植栽、その他農作業や土木建築工事の際の縦穴掘削等に用いられる穴掘り具に関する。
【背景技術】
【０００２】
地面に穴を掘る際には、スコップやその他の特殊な穴掘り具（例えば、特許文献１参照）が用いられている。特に、例えば、山芋堀等のように比較的小さな穴を深く掘るのには、スコップでは困難であり、特許文献１に記載されたような穴堀り工具等が利用される場合が多い。特許文献１記載の穴掘り工具では、匙状の刃体１に長い柄２が取付けられた二つのスコップ本体３を相対向して設け、これらのスコップ本体３の刃体１の上部に突設された軸受４をピン５を介してスコップ本体３を回動自在に軸支連結したものが開示されている。この特許文献１記載の穴掘り工具を用いて穴を掘る場合には、まず、柄２を持って二つのスコップ本体を略平行にした状態で刃体２の先端を地面に突き差し、柄２の自由端側を拡げるようにピン周りに回動させて、二つの刃体１の先端側を近接させて該刃体の間に土を挟む。そして、その状態を維持しながら上方に持ち上げて土を挟んだ刃体を穴から出し、柄２の自由端側を近接させて、二つの刃体１の先端側を開いて土を落とす。これらの作業を繰り返して穴を掘っていくものであった。
【特許文献１】特開平９−６７８２８号公報
【考案の開示】
【考案が解決しようとする課題】
【０００３】
しかしながら、特許文献１記載の穴掘り工具では、土を持ち上げる際に、柄を開いた状態を維持するように上方に持ち上げなければならないので操作性が悪く、作業者の労力が大きい。特に掘削する穴が深い場合には、持ち上げる途中で土を落下させてしまう場合も多い。さらに、刃体を閉じようとする際に柄が穴の壁面に当たり、刃体を閉じることができなかったり、穴が崩れたりする場合があり、作業性に劣るものであった。また、二つの刃体をピンにより回動自在に軸支させた構成であるから、構造が複雑であり、ピン軸支周辺部分に土が詰まって刃体の回動操作がスムーズに行なえなかったり、故障を生じるおそれが高いとともに、メンテナンスを頻繁に行なう必要があり、煩雑であるという問題があった。
【０００４】
本考案は、上記従来の課題に鑑みてなされたものであり、その一つの目的は、簡単な構造で、操作も単純で、簡便かつ確実に穴を掘ることができる穴掘り具を提供することにある。
【課題を解決するための手段】
【０００５】
上記課題を解決するために本考案は、柄の先端に接続されて下方の土中に向けて打ち込まれる掘削部本体を含む穴掘り具であり、掘削部本体１４は、中空囲み形状の一体枠２４と、該一体枠２４から一方側となる同一方向にそれぞれ相互に間隙を形成した状態で伸長する複数の刃部２６と、を有し、刃部２６間の間隙２８は、それらの伸長端側を開口３２させて一体枠２４と刃部２６との接続部分３５付近まで連続して形成されており、さらに、複数の刃部２６は、打ち込み時に土Ｍを保持させる中央部３０を取り囲むように配置されていることを特徴とする穴掘り具１０から構成される。刃部２６の個数は２個以上の任意の数でよい。また、刃部２６は、例えば、ステンレスや鉄等の、土を掘るのに十分に硬く強度が高いものであって、土中に打ち込まれる際にわずかに弾性変形し、かつ元の形状に復元しうる金属、合金等の素材で形成すると好適である。
【０００６】
また、刃部２６は、板状部材からなり、一体枠２４と刃部２６との接続部分３５と伸長端との中間部分にそれらになめらかに接続する広幅部３４を有することとしてもよい。隣接する刃部２６の広幅部３４間の間隙は、小幅で設けて、刃部全体として中央部を取り囲むように構成されると良い。接続部分３５をある程度狭い幅で設けることで打ち込み時の刃部が弾性変形・復元しやすく土を良好に保持できる。
【０００７】
また、刃部２６であって、該刃部２６の中央部３０側を向く面（３８）が全体として略円形となるように一体枠２４に対して連結されていることとしてもよい。
【０００８】
また、刃部２６の伸長端側の内壁面３８には、刃部２６の内側から外側に向けて斜めに切り落とすようにして刃部２６の先端を先鋭化させたテーパ面３６が形成されたこととしてもよい。
【０００９】
また、刃部２６の伸長側は、その幅を先端側に向けて狭くするようにテーパ形状を呈していることとしてもよい。
【００１０】
また、刃部２６と一体枠２４とは、中空円筒部材を加工して一体的に形成されたこととしてもよい。
【考案の効果】
【００１１】
本考案の穴掘り具によれば、柄の先端に接続されて下方の土中に向けて打ち込まれる掘削部本体を含む穴掘り具であり、掘削部本体は、中空囲み形状の一体枠と、該一体枠から一方側となる同一方向にそれぞれ相互に間隙を形成した状態で伸長する複数の刃部と、を有し、刃部間の間隙は、それらの伸長端側を開口させて一体枠と刃部との接続部分付近まで連続して形成されており、さらに、複数の刃部は、打ち込み時に土を保持させる中央部を取り囲むように配置されていることから、地面に穴を掘る際に、掘削部本体を土に打ち込むだけで刃部で取り囲まれる中央部に土が保持され、そのまま引き抜くだけで穴を掘ることができる。よって、掘削部本体の打ち込み、引き抜きといった単純な操作だけで、低労力、短時間で、円滑に穴掘り作業を行なえる。さらに、構造が簡単であり、低コストで製造できる。また、メンテナンスも簡単に行なえる。
【００１２】
また、刃部は、板状部材からなり、一体枠と刃部との接続部分と伸長端との中間部分にそれらになめらかに接続する広幅部を有する構成とすることにより、刃部の広幅部で中央部を取り囲み、掘削土を確実に保持することができ、引き抜く際に土が落下するのを良好に防止できる。さらに、例えば、接続部分を狭幅とすることで、刃部の弾性変形・復元が良好に行なわれ、土の保持力がよい。
【００１３】
また、刃部であって、該刃部の中央部側を向く面が全体として略円形となるように一体枠に対して連結されている構成とすることにより、中央部を取り囲むように配置された複数の刃部による土の保持力を良好に作用させて引き抜き時の土の落下を防止しうるとともに、柄からの打ち込み力を刃部に効率良く伝達させて、円滑に穴を掘ることができる。
【００１４】
また、刃部の伸長端側の内壁面には、刃部の内側から外側に向けて斜めに切り落とすようにして刃部の先端を先鋭化させたテーパ面が形成された構成とすることにより、テーパ面により、刃部を土中にある程度深く打ち込ませることができるとともに、打ち込んだ際に刃部が土から内側から外側に広がるような力を受けることによる刃部の変形及び打ち込み力を解放した際の刃部の形状復元による土の保持力が良好に作用しうる。その結果、一回の作業で掘削できる穴の深さを十分に確保できるとともに、引き抜きの際にも土を落下させることなく、スムーズかつ確実に穴を掘ることができる。
【００１５】
また、刃部の伸長側は、その幅を先端側に向けて狭くするようにテーパ形状を呈していることとすることにより、打ち込む際に、刃部を土中に深く打ち込めるので、一回の作業で掘削できる穴の深さを十分に確保でき、スムーズかつ確実に穴を掘ることができる。
【００１６】
また、刃部と一体枠とは、中空円筒部材を加工して一体的に形成された構成とすることにより、刃部と一体枠とが一体成形されるので簡単構造であるとともに、加工も簡単に行なえて、低コストで製造できる。
【考案を実施するための最良の形態】
【００１７】
以下添付図面を参照しつつ、本考案の実施の形態について説明する。本考案の穴掘り具は、柄の先端に接続されて下方の土中に向けて打ち込まれる掘削部本体を含む穴掘り具である。そして、例えば、比較的径が小さい縦穴を手作業で掘削する際に有効に用いられる。
【００１８】
図１ないし図４は、本考案の穴掘り具の一実施形態を示している。本実施形態において、穴掘り具１０は、図１に示すように、柄１２の先端側に接続されて下方の土中に向けて打ち込まれる掘削部本体１４を含む。柄１２は、例えば、１〜２ｍ程度の長さで、径が数ｃｍ程度で手で握りやすい太さの木製の杆部材からなる。本実施形態では、柄１２は、連結部材１６を介して掘削部本体１４と接続されている。なお、柄１２の長さは任意で良く、目的とする穴の深さに応じて適宜設定され、例えば、伸縮自在、連結・分離構成等により長さを変更できるようにしてもよい。また柄の材質も木製に限らず、例えば、アルミニウム等の金属、硬質合成樹脂等のある程度強度のある素材であれば任意でよい。
【００１９】
本実施形態では、連結部材１６は、図１、図２に示すように、柄１２の一端部を受ける受筒部１８と、受筒部１８から延長されて掘削部本体１４に接続される複数の接続脚２０と、を有している。本実施形態では、連結部材１６は、受筒部１８と接続脚２０とが、例えば、ステンレス製の中空円筒部材を加工して一体的に形成されている。詳細には、上部側をそのまま円筒部分として受筒部１８とし、円筒部材の下部側を中間位置まで先割れ状に４分割し、該４分割片を外側に広がるように湾曲させて接続脚２０を形成している。受筒部１８は、その中空内部に柄１２の先端を差し込んで、例えば、釘やボルト等の固定部材２２を介して固定される。なお、受筒部１６と柄１２とを固定する固定手段は任意でよく、例えば、受筒部１８に柄１２の先端をきつく嵌合させて固定したり、柄を金属製として溶接することとしてもよい。接続脚２０の延長先端側は掘削部本体１４に、例えば、溶接等により固定されている。
【００２０】
本実施形態では、掘削部本体１４は、一体枠２４と、該一体枠２４から伸長する複数の刃部２６と、を有している。一体枠２４は、図１、図２に示すように、複数の刃部２６を一体的に連結支持した中空囲み形状の一体枠であり、本実施形態では、例えば、横断面円形状の丸枠からなる。なお、一体枠２４は、例えば、楕円形枠、三角形枠、四角形枠、その他任意の無端状となる中空囲み形状でもよい。本実施形態では、例えば、径が１０ｃｍ程度のステンレス製の中空円筒部材を加工して、一体枠２４と刃部２６とを一体的に形成している。すなわち、中空円筒部材を一端側を開口させた間隙２８を切り欠き加工等することにより上端部側に一体枠２４が、その下方側に刃部２６が一体的に形成される。本実施形態では、一体枠２４の外側面側に接続部１８の接続脚２０が固定されて柄１２と連結されている。一体枠２４の中空部の中心の貫通方向に沿って柄１２の長手方向が設定されている。
【００２１】
図１、図２、図３に示すように、複数の刃部２６は、一体枠２４から一方側となる同一方向にそれぞれ相互に間隙２８を形成した状態で伸張されている。そして、刃部２６間の間隙２８は、それらの伸長端側を開口３２させて一体枠１６と刃部２６との接続部分３５付近まで連続して形成されている。複数の刃部２６は、打ち込み時に土Ｍを保持させる中央部３０を取り囲むように配置されている。刃部２６は、上記のように中空円筒部材の一部から加工されており、横断面円弧状の板状部材からなるとともに、一体枠２４から鉛直真下方向に向けて垂下状に連設されている。さらに、複数の刃部２６は、該刃部２６の中央部３０側を向く面（内壁面３８）が、全体として略円形となるようになっている。本実施形態では、刃部２６は、４個設けられており、円形状の一体枠２４の略９０度ずつずれた位置で接続されて、直交状に対向している。なお、掘削部本体１４は、刃部２６と一体枠２４とをそれぞれ別部材で形成し、溶接等の固定手段で固定して一体的に構成することとしてもよい。なお、複数の刃部２６に取り囲まれる中央部３０の開口の大きさや一体枠２４の大きさは、掘削する穴の大きさに対応して適宜設定される。
【００２２】
本実施形態では、刃部２６は、正面視で縦長の略五角形状となるように設けられている。さらに具体的には、一体枠２４と刃部２６との接続部分３５は、ある程度幅が狭く（断面円弧が短く）設定されている。刃部２６の伸長端側は、その幅を先端側に向けて狭くするようなテーパ形状となっている。そして、該接続部分３５と伸長端との中間部分にそれらになめらかに接続する広幅部３４を有している。これにより、刃部２６の広幅部３４と、該刃部の内壁面が全体として略円形となる構成とが相俟って、刃部２６に囲まれる中央部３０での土の高い保持力を期待できる。なお、図上では、刃部の先端側は、鋭角状に形成されているが、円弧状の先端で形成してもよい。一方、刃部２６がこのような形状で設けられているので、刃部２６間の間隙２８は、一体枠２４との接続部分付近が広く、刃部の伸長端側、すなわち開口３２側に向けて徐々に狭くなってくびれ部分を形成し、さらに、該くびれ部分から開口３２側に向けて広がっている。また、図４に示すように、刃部２６の伸長端側の内壁面３８には、刃部２６の内側から外側に向けて斜めに切り落とすようにして刃部２６の先端を先鋭化させたテーパ面３６が形成されている。このテーパ面３６は、刃部２６の幅方向に沿って形成されている。
【００２３】
上記のように刃部２６が構成されることから、図５に示すように、土中Ｍへ掘削部本体１４を打ち込む際には、刃部２６の幅方向のテーパ形状及び先端側のテーパ面３６により、刃部を土中にある程度深く打ち込ませることができる。この際、テーパ面３６によって、刃部２６が土から受ける抵抗力の一部により、該刃部は外向き方向Ｘに向けた力を受ける。刃部２６は一体枠２４との接続部分３５が狭幅に設けられていることから、刃部２６が元の位置（一点鎖線Ｒ）よりわずかに外側Ｘに向けて広がるように弾性変形した状態で土に穿刺される。そして、打ち込み力が解放されると、刃部２６はその材質による弾性復元力により、刃部を中央部３０方向（中心方向）へ向けて作用させて、元の位置に復帰させる。この複数の刃部２６の復元作用により、該刃部２６の円弧状の内壁面３８で中央部３０内の土を締固め状に保持する。これにより、図６に示すように、掘削部本体１４を穴から引き抜いても、刃部２６に囲まれた中央部３０から、保持された土が落下することなく、穴から該掘削土を確実に取り出して、穴を掘ることができる。なお、掘削部本体１４を例えば地面やその他の物に軽く叩きつけて衝撃を与えたり、中央部３０の土に棒や板、その他突起等を差し込んだりして固まった土を崩して簡単に掘削部本体から土を落とすことができる。したがって、単純な作業だけであり、操作性が良く、低労力であり、しかも短時間で、スムーズに穴を掘ることができる。また、掘削部本体は、枢支構造等の複雑な構造を含まず、簡単な構造であるので、低コストで製造できる。さらに、メンテナンスも簡単であり、刃部に付着した土を簡単に落とすだけで繰返し使用できる。
【００２４】
なお、掘削部本体１４は、刃部２６が４個の態様に限らず、２個、３個又は５個以上の複数個としてもよい。例えば、図７ないし図９には、刃部２６ａが２個の場合の掘削部本体１４の態様を示している。図７、図９において、刃部２６ａは、１８０度ずれた位置で一体枠２４に接続されており、円弧状の内壁面３８を対向して配置されている。図７、図８に示すように、刃部２６には三角形状の貫通孔４０が設けられている。刃部２６が２個の場合には、刃部により中央部３０を取り囲む構成及び広幅部３４の構成を維持するために、各刃部２６の面積が大きく円弧も長くなるので刃部の弾性変形・復元が行なわれにくい。しかしながら、刃部に貫通孔４０を設けることで、刃部の一部の幅を狭くして、弾性変形・復元が確実に作用させることができる。これにより、上記実施形態同様に、刃部で取り囲む中央部に土を確実に保持させることができ、掘削部本体１４を引き抜く際にも土の落下を防止し、円滑に穴を掘削できる。
【００２５】
以上説明した本考案の穴掘り具は、上記した実施形態のみの構成に限定されるものではなく、実用新案登録請求の範囲に記載した本考案の本質を逸脱しない範囲において、任意の改変を行ってもよい。
【産業上の利用可能性】
【００２６】
本考案の穴掘り具は、例えば、農作業、土木、建築作業等において、手作業で掘削するのに適用される。特に、比較的径の小さな穴を縦に深く掘る際に有効に用いられる。
【図面の簡単な説明】
【００２７】
【図１】本考案の実施形態に係る穴掘り具の一部省略斜視図である。
【図２】図１の穴掘り具の一部拡大正面図である。
【図３】図２のＡ−Ａ線断面拡大図である。
【図４】図２のＢ−Ｂ線断面図及びその一部拡大図である。
【図５】掘削部本体を打ち込み時の概略作用説明図である。
【図６】掘削部本体を引き抜いた状態を示す概略説明図である。
【図７】掘削部本体の他の形態を示す斜視図である。
【図８】図７の拡大正面図である。
【図９】図８のＣ−Ｃ線断面図である。
【符号の説明】
【００２８】
１０    穴掘り具
１２    柄
１４    掘削部本体
２４    一体枠
２６    刃部
２８    間隙
３０    中央部
３２    開口
３４    広幅部
【図１】
0003120801.tif 000003
【図２】
0003120801.tif 000004
【図３】
0003120801.tif 000005
【図４】
0003120801.tif 000006
【図５】
0003120801.tif 000007
【図６】
0003120801.tif 000008
【図７】
0003120801.tif 000009
【図８】
0003120801.tif 000010
【図９】
0003120801.tif 000011